(57)【要約】【課題】  冷媒配管及び換気装置の取付作業を容易にすると共に、屋外側の壁穴付近の外観を良くするようにした空気調和機を提供する。【解決手段】  室内機と室外機とを壁穴を通して冷媒配管１８で接続するようにした空気調和機において、屋外に設置される換気用の室外ファン２０と、この室外ファン２０を収納するファンケース１３Ｂと、このファンケース１３Ｂに繋がれ前記壁穴を通して家屋の内外を挿通する給排気管１６とを有する換気装置を備え、前記換気装置の屋外部分に保護カバー２２を設け、この保護カバー２２は前記冷媒配管１８及び給排気管１６を挿通する挿通孔３５を有し建物の壁に取り付けられる後板２５と、前記ファンケース１３Ｂを固定する固定部３６、３７、３８を有しファンケース１３Ｂ及び冷媒配管１８を仕切る仕切台２６と、前記ファンケース１３Ｂ及び冷媒配管１８を覆う外カバーとを備えた。【選択図】      図２
2005083699.tif 000002
【特許請求の範囲】
【請求項１】
室内に設置される室内機と、屋外に設置される室外機とを壁穴を通して冷媒配管で接続するようにした空気調和機において、
屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分に保護カバーを設け、この保護カバーは前記冷媒配管を挿通する挿通孔を有し建物の壁に取り付けられる後板と、前記ファンケースを固定する固定部を有しファンケース及び冷媒配管を仕切る仕切台と、ファンケース及び冷媒配管を覆う外カバーとを備えたことを特徴とする空気調和機。
【請求項２】
前記後板と仕切台の間に冷媒配管を配置し、前記仕切台は後板に着脱自在に取り付けられることを特徴とする請求項１に記載の空気調和機。
【請求項３】
前記外カバーは後板または仕切台に着脱自在に取り付けられることを特徴とする請求項１または２に記載の空気調和機。
【発明の詳細な説明】
【技術分野】
【０００１】
本発明は、室内空気を換気する換気装置を具備させて、より快適な室内環境を提供することができるように成した空気調和機に関する。
【背景技術】
【０００２】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来から空気調和機に換気装置を備えるものが提案されている。例えば、建物の壁に、空気調和機の室内機と室外機間の配管が通過する空間および換気通路を有する配管穴を形成し、換気用の室外ファン及びこれを駆動するためのファンモータを屋外でかつ換気通路の出口近傍に設けた換気装置（例えば、特許文献１参照）や、建物の壁に、空気調和機の室内機と室外機間の配管が通過する空間及び排気用・給気用換気通路を有する配管穴を形成し、ファンモーターの左右両軸に設けたシロッコファンのうち一方が排気用換気通路内に収容され、他方のシロッコファンが給気用換気通路に収容された送風機を内装した換気ユニットを室内機の近傍に設け、片方のシロッコファンの回転により室内空気を排気用換気通路から屋外へ排気し、同時に他方のシロッコファンの回転により外気を給気用換気通路から室内へ取り入れて換気を行うよう成した換気装置（例えば、特許文献２参照）である。
【特許文献１】特開２００１−２７４３３
【特許文献２】特許第２６２９６６５号公報
【発明の開示】
【発明が解決しようとする課題】
【０００４】
ところで、上述したような換気装置を備えた空気調和機では、建物の壁に穴を形成して配管及び換気通路用の空間を設け、さらに屋外側の壁穴付近に換気用ファンを設けている。壁穴を通るもの（配管・配線）には、室内機・室外機間に接続される冷媒配管や、室内機の電気部品を作動させるための電源コード、室内機・室外機間の信号の送受信をする制御系の伝送ライン、ドレン水を屋外へ排出するためのドレンホース等の配管類がある。これら配管類が壁穴に一緒に配設され、かつ屋外側の壁穴付近に換気用ファンが配設されるので、壁穴付近には配管・配線が集中して換気装置の取付作業が煩雑になる上に、壁穴付近の外観を損うおそれがあった。
【０００５】
本発明は、上記の事情に鑑みなされたものであり、冷媒配管及び換気装置の取付作業を容易にすると共に、屋外側の壁穴付近の外観を良くするようにした空気調和機を提供することを目的とする。
【課題を解決するための手段】
【０００６】
上記課題を解決するために、請求項１に記載の発明は、室内に設置される室内機と、屋外に設置される室外機とを壁穴を通して冷媒配管で接続するようにした空気調和機において、屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分に保護カバーを設け、この保護カバーは前記冷媒配管を挿通する挿通孔を有し建物の壁に取り付けられる後板と、前記ファンケースを固定する固定部を有しファンケース及び冷媒配管を仕切る仕切台と、ファンケース及び冷媒配管を覆う外カバーとを備えた備えたことを特徴とする。
【０００７】
請求項２に記載の発明は、請求項１に記載の空気調和機において、  前記後板と仕切台の間に冷媒配管を配置し、前記仕切台は後板に着脱自在に取り付けられることを特徴とする。
【０００８】
請求項３に記載の発明は、請求項１または２に記載の空気調和機において、前記外カバーは後板または仕切台に着脱自在に取り付けられることを特徴とする。
【発明の効果】
【０００９】
本発明によれば、本発明の換気装置を有する空気調和機は、換気装置の屋外側部分（室外ファン及びファンケース等）を覆う保護カバーを設け、この保護カバー内に換気装置と隔離して冷媒配管を配設するようにしたので、換気装置と冷媒配管とが接触して互いに傷つけるようなことはなく、かつ換気装置と冷媒配管とが保護カバー内に納めらて壁穴付近の外観を良くすることができる。
【００１０】
また、保護カバーの外側に配置される外カバーは、容易に着脱することができるので、換気装置の点検・修理を容易にすることができ、さらに仕切台が容易に着脱できるので、仕切台の後方に配設される冷媒配管の取外しが容易になり、従って空気調和機の取外しも容易に行うことができる。
【実施例１】
【００１１】
以下、本発明の一実施形態を図面に基づき説明する。図１は一部を省略（室内機の側面、建物の壁及び換気装置の外カバー）して示した空気調和機の斜視図、図２は外カバーを外して示した保護カバーの斜視図、図３は図２の側面図、図４は外カバーを取り付けて示した保護カバーの斜視図である。
【００１２】
図１において、室内機１は、吸込パネル２を有した前部ケース３と背面側の後部ケース４から成る本体ケース５を有し、該本体ケース５の下端部には吹出口（図示せず）が設けられると共に、この本体ケース５内に室内の空気を加熱／冷却する熱交換器６が配されている。熱交換器６は冷媒がそのフィンと直交しかつ蛇行させて配設した冷媒管７を通過することにより、冷房／除湿運転時に冷却器として機能し、暖房運転時には加熱器として機能するものである。
【００１３】
また本体ケース５の内部には、熱交換器６で取り囲まれるように循環ファン８が設けられ、該循環ファン８により室内の空気が吸込パネル２から吸い込まれ、熱交換器６で加熱／冷却されて冷風／温風が吹出口から再び室内に吹き出されて循環するものである。この他に、滴下するドレン水を溜め排出するために熱交換器６の下端部に設けられたドレンパン９や、熱交換器６と吸込パネル２との間に配されるエアフィルター（図示せず）、また吹出口に設けられた吹出方向を変更させる風向器（図示せず）などの構成部品を有する。さらに室外機（図示せず）の圧縮機の運転制御、及び前記循環ファン８のファンモータの駆動制御等を行うための電装部１１等が、本体ケース５の片側部に区画して内蔵されている。
【００１４】
前記室内機１と室外機とは冷媒配管１８で接続され、室外機に設けられた冷媒圧縮機、室外熱交換器及び減圧装置と、室内機１の熱交換器６との間を冷媒配管１８を介して冷媒が循環する冷凍サイクルが形成されている。冷媒配管１８は熱交換器６に接続され本体ケース５の右部から、後方に設けられる壁穴を通して屋外へと配管されている。またこの冷媒配管１８が配管されている箇所には、前記ドレンパン９に接続されドレン水を屋外に排出するドレンホースや、循環ファン８や風向器等を作動するための電源コードや、冷媒の温度や圧力あるいは室内温度等を検出し冷媒圧縮機の運転などをコントロールするための制御系の伝送ラインなどが保護管（図示せず）内に収納されて一緒に配管配線されている。
【００１５】
そして、空調運転時に、室外機の冷媒圧縮機および室内機１の循環ファン８が運転され、循環ファン８の回転により室内空気が吸込パネル２より室内機１に吸い込まれ熱交換器６で熱交換されて、冷気／暖気が下部の吹出口より室内に吹き出されて冷房／暖房の空調が行われる。
【００１６】
次に、換気装置について説明する。換気装置は室内機の内部に排気用の室内ファンを設け、屋外に給気用の室外ファンを設けてそのいずれか一方の駆動にて、共用の給排気管を通じて給気又は排気を行い換気させるものである。
【００１７】
１２は、室内空気を室外（屋外）に排気して換気するための室内ファンで、室内機１内に収容されている。具体的には例えば熱交換器６の側面近傍等に配置されている。この室内ファン１２としてはシロッコファンを使用している。このシロッコファンと室内ファン１２の駆動用モータとが厚みの薄い略円筒形状の室内ファンケース１３Ａ内に収容される構造である。シロッコファンが回転すると、室内ファンケース１３Ａの片面側に開けた円形の吸込口１４Ａより室内空気が吸い込まれた、その後、室内ファンケース１３Ａの一端部に設けた吹出部１５ａより吹き出される。
【００１８】
一方２０は、屋外空気を室内に給気して換気するための室外ファンで、屋外の壁穴に臨む位置に設けられている。すなわち室内機１を取り付けている室内の壁（図示せず）の屋外側に配置している。この室外ファン２０にもシロッコファンを使用しており、先の室内ファン１２と同様に、シロッコファンが回転すると、室外ファンケース１３Ｂの片面側に開けた円形の吸込口１４Ｂより屋外空気が吸い込まれた後、室外ファンケース１３Ｂの一端部に設けた吹出部１５ｂより吹き出される。
【００１９】
１６は室内ファン１２により吸い込んだ室内空気を屋外に排気させ、また室外ファン２０にて吸い込んだ屋外空気を室内に給気するために設けられた１本の共用給排気管で、室内の壁を挿通して家屋の内外に存在するように配されている。この給排気管１６により家屋の内外を連通する給排気路が形成される。前記室内ファンケース１３Ａと室外ファンケース１３Ｂは、この１本の共用給排気管１６を介して繋がるようにその両端部に設けられている。すなわち給排気管１６の室内側開口端１７ａに繋がるように室内ファンケース１３Ａが設置され、また同管１６の室外側開口端１７ｂに繋がるように室外ファンケース１３Ｂが設置されている。室外ファンケース１３Ｂは前記給排気管１６の室外側開口端１７ｂにその吹出部１５が接続され、ぶら下がった格好で取り付けられている。また室外ファンケース１３Ｂの左上部と右下部とにはこの室外ファンケース１３Ｂを固定するためのねじ挿通孔２１、２１が形成されている。
【００２０】
前記給排気管１６は室内機１左側からその背部へと出された後、室内機１の背面側に沿って出し口とは反対側へ向かって水平に延ばされ、その先端で直角に曲げられて屋外へと延出されている。
【００２１】
前記室内ファン１２と室外ファン２０は、どちらか一方を駆動するものであり、同時に駆動するものとはなっていない。そこで室内ファン１２を単独で駆動したときには、室内ファン１２により室内空気がその吸込口１４Ａから吸い込まれ、給排気管１６を経て室外ファン２０の吸込口１４Ｂを吹出部として屋外に排気されることにより、換気が行われる。一方室外ファン２０を単独で駆動したときは、室外ファン２０により屋外空気がその吸込口１４Ｂから吸い込まれ給排気管１６を通じて室内ファン１２の吸込口１４Ａを吹出部として室内に吹き出されることにより、換気が行われる。このように、室内ファンケース１３Ａと室外ファンケース１３Ｂと両端部が繋がって設けられた１本の共用給排気管１６とにより換気装置が構成されている。
【００２２】
次に、壁穴の外側に取り付けられ冷媒配管及び換気装置の屋外側部分を保護する保護カバーについて説明する。
【００２３】
図２、図３において、保護カバー２２は壁穴２３を設けた壁面に取り付けられる後板２５と、保護カバー２２の内部を仕切る仕切台２６と、仕切台２６を覆う外カバー２７（図４参照）とを有し、換気装置の屋外側部分及び冷媒配管１８の一部を覆っている。
【００２４】
前記後板２５は上部が円形で下部が角形をしており、外周にフランジ３１とこのフランジ３１の内側に逆Ｕ字形の縦壁３２とが設けられている。フランジ３１には壁面取付用の５つのねじ孔３３、３３・・が設けられ、上部の縦壁３２内側にはＣ字状の平面部３４が  形成されてその内側に冷媒配管１８及び給排気管１６を挿通する略円形の挿通孔３５が設けられている。縦壁３２の前端部には、仕切台２６を固定する上下３段の爪部３６、３７、３８が左右にそれぞれ設けられている。上部爪部３６、３６は下方に突出する鉤形をし、中部爪部３７、３７は上方に突出する鉤形をし、下部爪部３８、３８は内方に突出する鉤形をしている。また縦壁３２の内側に接して外カバー固定用の４つのボス４１、４１・・が設けられそれぞれにねじ孔４１ａが設けられている。
【００２５】
前記仕切台２６は、上から見てコの字形状をしており、前面板４３と左右側板４４、４４とを有し、後方向及び上下方向に開口している。前面板４３の下部には角筒状の換気用開口部４６が設けられている。この開口部４６には横断面を覆うフィルター４７とシャッター（図示せず）とが設けられており、フィルター４７は網目構造で、吸い込まれる外気中の塵埃や異物を捕らえ内部に入らないような役目をしている。シャッターはフィルター４７の下方に複数の水平板を配置して、保護カバー２２内部を雨風や塵埃から保護し、また悪戯などで内部が損傷されないようしている。
【００２６】
前記前面板４３の左上及び右下には、室外ファンケース１３Ｂのねじ挿通孔２１、２１に対応するねじ孔５１、５１が設けられており、取付ねじをねじ挿通孔２１、２１を通してねじ孔５１、５１へ締め付けることにより、室外ファンケース１３Ｂを仕切台２６に固定することができる。また左右側板４４、４４の後端部には、後板２５に取り付けるための左右それぞれ３つの突起片５２、５３、５４が設けられている。上部突起片５２、５２は左右に突出し前記後板２５の上部爪部３６、３６へ下方から差し込むようになっている。中部突起片３７、３７は外方に突出し突起片３７、３７には縦長の角孔５５、５５が形成され、これら角孔５５、５５を前記中部爪部３７、３７に挿入して仕切台２６を下方へずらすことにより仕切台２６が爪に掛り固定される。また下部突起片５４、５４は左右に突出し、左右の下部爪部３８、３８の内側へ挿入することにより、左右の下部爪部３８、３８が外側にいったん開いて閉じ下部突起片５４、５４に掛るようになっている。
【００２７】
図４において、前記外カバー２７は左右両端に仕切台２６への取付用ねじ孔５６、５６が設けられ、これらねじ孔５６、５６を通して取付ねじにて前記仕切台２６のねじ孔４１ａ、４１ａ・・へ締め付けることにより、外カバー２７が仕切台２６へ固定される。
【００２８】
このように構成された保護カバー２２において、保護カバー２２の取付作業は、壁穴２３を通して給排気管１６及び冷媒配管１８が屋外へ引き出される状態になってから行われる。まず、挿通孔３５の上部に給排気管１６、下部に冷媒配管１８を配置して通し後板２５を取付ねじにて壁面へ固定する。次に冷媒配管１８を後板２５の前面に、かつ下方向へ直線状に配設する。仕切台２６を後板２５に固定し、室外ファンケース１３Ｂの吹出部１５ｂを給排気管１６の室外開口端１７ｂへ連結する。ねじ挿通孔２１、２１に取付ねじを挿通して室外ファンケース１３Ｂを仕切台２６へ固定する。次に室外ファンケース１３Ｂの前方から外カバー２７を被せて取付ねじにて固定することにより保護カバー２２が壁面に固定され取付作業が完了する。
【００２９】
このように、冷媒配管１８が後板２５と仕切台２６との間に納められ、冷媒配管１８が室外ファンケース１３Ｂと隔離して配置されるので、冷媒配管１８が動いて室外ファンケース１３Ｂを傷つけるようなことはなく、また冷媒配管１８と室外ファンケース１３Ｂとが保護カバー２２内に納められるので、建物の壁面外観を見栄え良くすることができる。
【００３０】
また、外カバー２７は容易に外すことができるので、換気装置の点検・修理を容易にすることができ、さらに仕切台２６が容易に着脱できるので、冷媒配管１８の取外しが容易になり、従って空気調和機の取外しを容易に行うことができる。
【００３１】
以上、実施例に基づいて本発明を説明したが、本発明は、これに限定されるものではなく、要旨を逸脱しない範囲内で変形可能である。
【００３２】
本実施例の換気装置では、建物の壁に挿通され室外ファン２０に繋がれる給排気管１６を有しているが、このような給排気管を有さずに建物の壁穴２３を通して直接換気する換気装置にも適用可能である。
【００３３】
また、外カバー２７を後板２５に取り付けるようにしているが、外カバー２７を仕切台２６に取り付けるようにしても良い。
【図面の簡単な説明】
【００３４】
【図１】本発明の一実施形態における一部を省略（室内機の側面、建物の壁及び換気装置の外カバー）して示した空気調和機の斜視図である。
【図２】外カバーを外して示した保護カバーの斜視図である。
【図３】図２の側面図である。
【図４】外カバーを取り付けて示した保護カバーの斜視図である。
【符号の説明】
【００３５】
１  室内機
２  吸込パネル
５  本体ケース
６  熱交換器
９  ドレンパン
１１  電装部
１２  室内ファン
１４Ａ  吸込口
１４Ｂ  吸込口
１５ａ  吹出部
１５ｂ  吹出部
１６  給排気管（給排気路）
１７ａ  室内側開口端
１７ｂ  室外側開口端
１８  冷媒配管
２０  室外ファン
２１  ねじ挿通孔
２２  保護カバー
２３  壁穴
２５  後板
２６  仕切台
２７  外カバー
３１  フランジ
３２  縦壁
３３  ねじ孔（壁取付用）
３５  挿通孔
３６  上部爪部
３７  中部爪部
３８  下部爪部
４１  ボス
４１ａ  ねじ孔（外カバー取付用）
４３  前面板
４４  左右側板
４６  換気用開口部
４７  フィルター
５１  ねじ孔
５２  上部突起片
５３  下部突起片
５４  下部突起片
５５  角孔
５６  ねじ孔（外カバー取付用）
【図１】
2005083699.tif 000003
【図２】
2005083699.tif 000004
【図３】
2005083699.tif 000005
【図４】
2005083699.tif 000006